【手続補正書】
【提出日】平成19年12月13日(2007.12.13)
【手続補正１】
【補正対象書類名】特許請求の範囲
【補正対象項目名】全文
【補正方法】変更
【補正の内容】
【特許請求の範囲】
【請求項１】
光源手段と、前記光源手段から発せられた光束を偏向する偏向手段と、前記光源手段から出射された発散光束を前記偏向手段に向かって導光する入射光学系と、前記偏向手段により偏向された光束を被走査面上に結像させる結像光学系と、を具備する光走査装置において、
前記光源手段から発せられる光束の波長は４５０ｎｍ以下であり、
前記結像光学系に少なくとも１枚のプラスチック製の第１の屈折光学素子を有し、
前記入射光学系の光路内に回折面を備えた第１の回折光学素子を有しており、
前記第１の屈折光学素子の主走査方向のパワーと前記第１の回折光学素子の回折面の主走査方向のパワーは同符号であることを特徴とする光走査装置。
【請求項２】
前記第１の屈折光学素子の主走査方向のパワーと前記第１の回折光学素子の主走査方向のパワーのパワー比は、温度変動に伴う前記第１の屈折光学素子の屈折率変化による前記第１の屈折光学素子のパワー変化及び温度変動に伴う前記光源手段の波長変化による前記第１の屈折光学素子のパワー変化が原因で起こるピント変化を温度変動に伴う前記光源手段の波長変化による前記第１の回折光学素子のパワー変化が原因で起こるピント変化で補償するように設定されている請求項１に記載の光走査装置。
【請求項３】
更に、前記結像光学系の光路内に回折面を備えた第２の回折光学素子を具備し、前記第２の回折光学素子の回折面の主走査方向のパワーと前記第１の屈折光学素子の主走査方向のパワーは同符号である請求項１又は２に記載の光走査装置。
【請求項４】
光源手段と、前記光源手段から発せられた光束を偏向する偏向手段と、前記光源手段から出射された発散光束を前記偏向手段に向かって導光する少なくとも１枚のレンズを備えた第１の屈折光学素子を有する入射光学系と、前記偏向手段により偏向された光束を被走査面上に結像させる少なくとも１枚のプラスチック製の第２の屈折光学素子を有する結像光学系と、を具備する光走査装置において、
前記光源手段から発せられる光束の波長は４５０ｎｍ以下であり、
前記入射光学系の光路内に回折面を備えた第１の回折光学素子が具備されており、
前記第２の屈折光学素子の主走査方向のパワーと前記第１の回折光学素子の回折面の主走査方向のパワーは同符号であり、
前記入射光学系の主走査方向の合成パワーをφ、前記第１の屈折光学素子を構成するｉ番目のレンズのパワーをφｉ、前記第１の屈折光学素子を構成するｉ番目のレンズの屈折率をｎｉ、前記第１の屈折光学素子を構成するｉ番目のレンズの屈折率波長変化率をｄｎｉ／ｄλ、前記第２の回折光学素子の回折面の主走査方向のパワーをφｄｏ、前記光走査装置の主走査方向の結像倍率をβ、前記結像光学系の主走査方向の射出ＦナンバーをＦＮｏ．、とするとき、
【数１】
2006171419.tif 000001
を満足することを特徴とする光走査装置。
【請求項５】
前記第１の屈折光学素子の平均アッベ数νが２５＜ν＜５５を満足することを特徴とする請求項４に記載の光走査装置。
【請求項６】
前記第１の屈折光学素子は、コリメータレンズである請求項４又は５に記載の光走査装置。
【請求項７】
光源手段と、前記光源手段から発せられた光束を偏向する偏向手段と、前記光源手段から出射された発散光束を前記偏向手段に向かって導光する入射光学系と、前記偏向手段により偏向された光束を被走査面上に結像させる結像光学系と、を具備する光走査装置において、
前記光源手段から発せられる光束の波長は４５０ｎｍ以下であり、
前記結像光学系に少なくとも１枚のプラスチック製の第１の屈折光学素子を有し、
前記入射光学系の光路内にプラスチック製の第２の屈折光学素子を有しており、
前記第１の屈折光学素子の主走査方向のパワーと前記第２の屈折光学素子の主走査方向のパワーは異符号であることを特徴とする光走査装置。
【請求項８】
前記第１の屈折光学素子の主走査方向のパワーと前記第２の屈折光学素子の主走査方向のパワーのパワー比は、温度変動に伴う前記第１の屈折光学素子の屈折率変化による前記第１の屈折光学素子のパワー変化及び温度変動に伴う前記光源手段の波長変化による前記第１の屈折光学素子のパワー変化が原因で起こるピント変化を温度変動に伴う前記第２の屈折光学素子の屈折率変化による前記第２の屈折光学素子のパワー変化及び温度変動に伴う前記光源手段の波長変化による前記第２の屈折光学素子のパワー変化が原因で起こるピント変化で補償するように設定されている請求項７に記載の光走査装置。
【請求項９】
光源手段と、前記光源手段から発せられた光束を偏向する偏向手段と、前記光源手段から出射された発散光束を前記偏向手段に向かって導光する少なくとも１枚のレンズを備えた第１の屈折光学素子を有する入射光学系と、前記偏向手段により偏向された光束を被走査面上に結像させる少なくとも１枚のプラスチック製の第２の屈折光学素子を有する結像光学系と、を具備する光走査装置において、
前記光源手段から発せられる光束の波長は４５０ｎｍ以下であり、
前記入射光学系の光路内にプラスチック製の第３の屈折光学素子を有しており、
前記第２の屈折光学素子の主走査方向のパワーと前記第３の屈折光学素子の主走査方向のパワーは異符号であり、
前記入射光学系の主走査方向の合成パワーをφ、前記第１の屈折光学素子を構成するｉ番目のレンズのパワーをφｉ、前記第１の屈折光学素子を構成するｉ番目のレンズの屈折率をｎｉ、前記第１の屈折光学素子を構成するｉ番目のレンズの屈折率波長変化率をｄｎｉ／ｄλ、前記第３の屈折光学素子を構成するｋ番目のレンズの主走査方向のパワーをφｋ´、前記第３の屈折光学素子を構成するｋ番目のレンズの屈折率をｎｋ、前記第３の屈折光学素子を構成するｋ番目のレンズの屈折率波長変化率をｄｎｋ／ｄλ、前記光走査装置の主走査方向の結像倍率をβ、前記結像光学系の主走査方向の射出ＦナンバーをＦＮｏ．、とするとき、
【数２】
2006171419.tif 000002
を満足することを特徴とする光走査装置。
【請求項１０】
前記第１の屈折光学素子の平均アッベ数νが５０＜ν＜８５を満足する請求項９に記載の光走査装置。
【請求項１１】
前記第１の屈折光学素子は、コリメータレンズである請求項９又は１０に記載の光走査装置。
【請求項１２】
前記コリメータレンズは、アッベ数νが異なる硝材からなる色消しレンズであることを特徴とする請求項１１に記載の光走査装置。
【請求項１３】
前記光源手段から発せられる光束の波長の温度特性が０．０３（ｎｍ／℃）＜ｄλ／ｄｔ＜０．１０（ｎｍ／℃）である請求項１乃至１２の何れか一項に記載の光走査装置。
【請求項１４】
前記光源手段は、複数の発光点を有する請求項１乃至１３の何れか一項に記載の光走査装置。
【請求項１５】
前記光源手段は、複数の発光点を持つモノリシックマルチビーム光源を複数合成したマルチビーム光源であることを特徴とする請求項１４記載の光走査装置。
【請求項１６】
請求項１乃至１５の何れか一項に記載の光走査装置と、前記被走査面に配置された感光体と、前記光走査装置で走査された光束によって前記感光体の上に形成された静電潜像をトナー像として現像する現像器と、前記現像されたトナー像を被転写材に転写する転写手段と、転写されたトナー像を被転写材に定着させる定着器とから成る画像形成装置。
【請求項１７】
請求項１乃至１５の何れか一項に記載の光走査装置と、外部機器から入力したコードデータを画像信号に変換して前記光走査装置に入力せしめるプリンタコントローラとから成る画像形成装置。
【手続補正２】
【補正対象書類名】明細書
【補正対象項目名】００２９
【補正方法】変更
【補正の内容】
【００２９】
前記課題を解決するために、第一の発明の光走査装置は、光源手段と、前記光源手段から発せられた光束を偏向する偏向手段と、前記光源手段から出射された発散光束を前記偏向手段に向かって導光する入射光学系と、前記偏向手段により偏向された光束を被走査面上に結像させる結像光学系と、を具備する光走査装置において、
前記光源手段から発せられる光束の波長は４５０ｎｍ以下であり、
前記結像光学系に少なくとも１枚のプラスチック製の第１の屈折光学素子を有し、
前記入射光学系の光路内に回折面を備えた第１の回折光学素子を有しており、
前記第１の屈折光学素子の主走査方向のパワーと前記第１の回折光学素子の回折面の主走査方向のパワーは同符号であることを特徴とする。
【手続補正３】
【補正対象書類名】明細書
【補正対象項目名】００３０
【補正方法】変更
【補正の内容】
【００３０】
第二の発明の光走査装置は、光源手段と、前記光源手段から発せられた光束を偏向する偏向手段と、前記光源手段から出射された発散光束を前記偏向手段に向かって導光する少なくとも１枚のレンズを備えた第１の屈折光学素子を有する入射光学系と、前記偏向手段により偏向された光束を被走査面上に結像させる少なくとも１枚のプラスチック製の第２の屈折光学素子を有する結像光学系と、を具備する光走査装置において、
前記光源手段から発せられる光束の波長は４５０ｎｍ以下であり、
前記入射光学系の光路内に回折面を備えた第１の回折光学素子が具備されており、
前記第２の屈折光学素子の主走査方向のパワーと前記第１の回折光学素子の回折面の主走査方向のパワーは同符号であり、
前記入射光学系の主走査方向の合成パワーをφ、前記第１の屈折光学素子を構成するｉ番目のレンズのパワーをφｉ、前記第１の屈折光学素子を構成するｉ番目のレンズの屈折率をｎｉ、前記第１の屈折光学素子を構成するｉ番目のレンズの屈折率波長変化率をｄｎｉ／ｄλ、前記第２の回折光学素子の回折面の主走査方向のパワーをφｄｏ、前記光走査装置の主走査方向の結像倍率をβ、前記結像光学系の主走査方向の射出ＦナンバーをＦＮｏ．、とするとき、
【数１】
2006171419.tif 000003
を満足することを特徴とする。
【手続補正４】
【補正対象書類名】明細書
【補正対象項目名】００３１
【補正方法】変更
【補正の内容】
【００３１】
第三の発明の光走査装置は、光源手段と、前記光源手段から発せられた光束を偏向する偏向手段と、前記光源手段から出射された発散光束を前記偏向手段に向かって導光する入射光学系と、前記偏向手段により偏向された光束を被走査面上に結像させる結像光学系と、を具備する光走査装置において、
前記光源手段から発せられる光束の波長は４５０ｎｍ以下であり、
前記結像光学系に少なくとも１枚のプラスチック製の第１の屈折光学素子を有し、
前記入射光学系の光路内にプラスチック製の第２の屈折光学素子を有しており、
前記第１の屈折光学素子の主走査方向のパワーと前記第２の屈折光学素子の主走査方向のパワーは異符号であることを特徴とする。
【手続補正５】
【補正対象書類名】明細書
【補正対象項目名】００３２
【補正方法】変更
【補正の内容】
【００３２】
第四の発明の光走査装置は、光源手段と、前記光源手段から発せられた光束を偏向する偏向手段と、前記光源手段から出射された発散光束を前記偏向手段に向かって導光する少なくとも１枚のレンズを備えた第１の屈折光学素子を有する入射光学系と、前記偏向手段により偏向された光束を被走査面上に結像させる少なくとも１枚のプラスチック製の第２の屈折光学素子を有する結像光学系と、を具備する光走査装置において、
前記光源手段から発せられる光束の波長は４５０ｎｍ以下であり、
前記入射光学系の光路内にプラスチック製の第３の屈折光学素子を有しており、
前記第２の屈折光学素子の主走査方向のパワーと前記第３の屈折光学素子の主走査方向のパワーは異符号であり、
前記入射光学系の主走査方向の合成パワーをφ、前記第１の屈折光学素子を構成するｉ番目のレンズのパワーをφｉ、前記第１の屈折光学素子を構成するｉ番目のレンズの屈折率をｎｉ、前記第１の屈折光学素子を構成するｉ番目のレンズの屈折率波長変化率をｄｎｉ／ｄλ、前記第３の屈折光学素子を構成するｋ番目のレンズの主走査方向のパワーをφｋ´、前記第３の屈折光学素子を構成するｋ番目のレンズの屈折率をｎｋ、前記第３の屈折光学素子を構成するｋ番目のレンズの屈折率波長変化率をｄｎｋ／ｄλ、前記光走査装置の主走査方向の結像倍率をβ、前記結像光学系の主走査方向の射出ＦナンバーをＦＮｏ．、とするとき、
【数２】
2006171419.tif 000004
を満足することを特徴とする。
【手続補正６】
【補正対象書類名】明細書
【補正対象項目名】００４６
【補正方法】変更
【補正の内容】
【００４６】
入射光学系（光源手段１から偏向器５に至る第１の光学系）の主走査方向の合成のパワーは正である。
【手続補正７】
【補正対象書類名】明細書
【補正対象項目名】００４８
【補正方法】変更
【補正の内容】
【００４８】
７１は、屈折光学素子としての副走査方向に所定の屈折力を有したプラスチック製のモールドレンズであり、ポリゴンミラーの偏向面（反射面）５ａ上に副走査方向に一旦結像させている。
また、７１は、環境変動によるプラスチックレンズ６１、屈折光学素子としてのプラスチックレンズのレンズ面に回折格子が形成された回折光学素子６２の主走査方向のピントシフトを補償するための温度補償光学素子も兼ねており、入射面は主走査方向の曲率半径が−１２３．４７３ｍｍ、副走査方向の曲率半径が１２８．５９１ｍｍの鞍型面、出射面は平面上に楕円状の回折格子が形成された回折面で構成されている。